(57)【要約】      （修正有）【課題】電子書籍作成のために、紙書籍のページ撮影を個人的に行う際に、複数のページを次々手際よく撮影するのに適している、安価で簡便な紙書籍撮影装置に用いる書籍載置台を提供する。【解決手段】書籍載置面２２、下面および雲台設置板が水平面に対して、カメラレンズ挿入口２３を具備する面側から透明板を具備するブック原稿読取面２４側に向かって、８〜１５°上方に傾斜しており、ブック原稿読取面２４側の縁に、１５〜２０ｍｍ幅の空隙２６を具備する。その半分を書籍載置面２２に載置した紙書籍６０は、残りの半分をブック原稿読取面２４へと垂れ下げる。ブック原稿読取面２４の透明板を無反射ガラスとし、採光のための採光側面２５’をブック原稿読取面２４側を吹き抜けとし、雲台３２が雲台設置板２８に対して上下方向の伸縮と固定が自在であり、かつカメラレンズ挿入口２３の形状が上下方向に長径を持つ楕円形であることが好ましい。【選択図】図３
0003181070.tif 000002
【実用新案登録請求の範囲】
【請求項１】
上面、下面および対向する２対の側面を具備する筐体、該筐体内に配置される雲台および該筐体を支持する脚部を具備する紙書籍をページ撮影するための書籍載置台であって、
前記上面が書籍載置面であり、
前記側面のうち、対向する１対の面は、その一方面がカメラレンズ挿入口を具備する面であり、他方面が透明板を具備するブック原稿読取面である撮影側面であり、
前記側面のうち、対向する他の１対の面は、ブック原稿を照射する光を通過させる採光側面であり、
前記雲台を固定している雲台設置板が前記採光側面のカメラレンズ挿入口側で支持され、
前記書籍載置面、前記下面および前記雲台設置板が前記脚部の底面に対して、前記カメラレンズ挿入口を具備する面側から前記ブック原稿読取面側に向かって、８〜１５°上方に傾斜しており、
前記ブック原稿読取面側の縁に、１５〜２０ｍｍ幅の空隙を具備することを特徴する、書籍載置台。
【請求項２】
前記ブック原稿読取面の透明板が無反射ガラスである、請求項１記載の書籍載置台。
【請求項３】
前記採光側面の、前記ブック原稿読取面側が吹き抜けである、請求項１または２記載の書籍載置台。
【請求項４】
前記雲台が前記雲台設置板に対して上下方向の伸縮と固定が自在であり、かつ前記カメラレンズ挿入口の形状が上下方向に長径を持つ楕円形である、請求項１〜３記載の書籍載置台。
【請求項５】
請求項１〜４いずれかの項に記載の書籍載置台、前記書籍載置台の雲台に固定され、前記カメラレンズ挿入口にそのレンズ部分が挿入されたデジタルカメラ、該デジタルカメラのシャッター機能をコントロールするフットシャッターおよび該書籍載置台の前記採光側面を通じてブック原稿を照射する一対の光源を具備する紙書籍撮影装置。
【考案の詳細な説明】
【技術分野】
【０００１】
本考案は、個人の蔵書である紙書籍の各ページを個人的に撮影して電子書籍化するのに適した、紙書籍をページ撮影するための書籍載置台および該書籍載置台を用いた紙書籍撮影装置に関するものである。
【背景技術】
【０００２】
近年、電子ブックリーダーの急速な普及により、出先や移動中などに、電子書籍の形式で読書する人が増えてきた。これに伴い、個人的な蔵書を電子書籍化し、電子ブックリーダーで持ち歩いて読みたいという要望がある。
【０００３】
個人的な蔵書を電子書籍化することは、著作権法第３０条で規定される私的使用のための複製の範囲内とされ、著作権者からの許諾がなくとも電子書籍化することができる。ただし同規定は、他人に委託して電子書籍化を行うことまでは認められていないと解釈される。したがって蔵書の電子書籍化はあくまでその所有者自身が行わなければならない。電子書籍化を個人的な作業として行う場合、業として電子書籍化を行うケースと異なり、多大な費用をかけることができない。このため、蔵書を個人的に電子書籍化する作業では高価で完全自動化された電子書籍作成装置などよりも、多少手作業が含まれるとしても、安価で簡便な作業方法が求められている。またその作業に用いる器具も、それ専用の器具ではなく、一般的に市販されている汎用機器を転用して使用できることが好ましい。
【０００４】
一方、通常のスキャナーでは、原稿読み取りのための原稿載置ガラス（プラテン）が平面である。このため紙書籍（紙形式の図書）のブック原稿（紙書籍のページ見開き原稿）では、中央の綴じ部周辺がガラス面から浮き上がるため、得られる画像において、綴じ部周辺に記載されている文字が歪んだり、綴じ部側の端に黒ずみがかかったりするので、きれいな電子書籍にすることができなかった。これを解消する手段としては、ドキュメントスキャナーによる裁断型スキャニング方式が先行している。しかしながら、個人的な蔵書では、自宅では紙書籍の状態で読書したいとか、その蔵書に個人的な思い入れなどもあるなどの理由で、裁断してまで電子書籍化したくないという思いもあった。
【０００５】
一般的に市販されている汎用器具を活用した、安価な書籍スキャナーとして、例えば特許文献１のような、画像撮影に汎用のデジタルカメラを用いた書籍用スキャナーの技術が開示されている。
【０００６】
しかしながら特許文献１では、蔵書を個人的に電子書籍化する目的で、紙書籍のページ撮影をする際に、複数のページを次々と手際よく画像として取り込む作業には適していない。また特許文献１の原稿載置ガラスは平面であるから、綴じ部周辺の文字が歪んだり、黒ずみがかかったりする問題は解決しない。
【０００７】
中央の綴じた箇所がガラス面から浮き上がる問題についての紙書籍を裁断する以外の手段に関しては、例えば特許文献２のような、原稿載置ガラスが平面状のガラス板の中央部が約90度に曲折されて形成され、ガラス面の山側に谷側を指向した読取原稿を載置自在にした画像入力装置の技術が開示されている。
【０００８】
しかしながら特許文献２では、約90°に曲折された特別な原稿載置ガラスを具備する専用装置が必要となり、個人的に蔵書を電子書籍化するための器具としては不向きである。加えて特許文献１同様、複数のページを次々手際よく画像として取り込む作業には適していない。
【先行技術文献】
【特許文献】
【０００９】
【特許文献１】特開２０１０−２２６６８６号公報
【００１０】
【特許文献２】特開２０１０−２２６６８６号公報
【考案の概要】
【考案が解決しようとする課題】
【００１１】
上記を鑑みて本考案で解決しようとする課題は、個人的に紙書籍を電子書籍化する作業で、多少の手作業が含まれても、複数のページを次々手際よく画像化することができる、安価で簡便で、しかも電子書籍化する際に蔵書を裁断しないで済む紙書籍撮影装置と、これに用いる書籍載置台を提供することである。
【課題を解決するための手段】
【００１２】
本考案である紙書籍をページ撮影するための書籍載置台は、
上面、下面および対向する２対の側面を具備する筐体、該筐体内に配置される雲台および該筐体を支持する脚部を具備する紙書籍をページ撮影するための書籍載置台であって、
前記上面が書籍載置面であり、
前記側面のうち、対向する１対の面は、その一方面がカメラレンズ挿入口を具備する面であり、他方面が透明板を具備するブック原稿読取面である撮影側面であり、
前記側面のうち、対向する他の１対の面は、ブック原稿を照射する光を通過させる採光側面であり、
前記雲台を固定している雲台設置板が前記採光側面のカメラレンズ挿入口側で支持され、
前記書籍載置面、前記下面および前記雲台設置板が前記脚部の底面に対して、前記カメラレンズ挿入口を具備する面側から前記ブック原稿読取面側に向かって、８〜１５°上方に傾斜しており、
前記ブック原稿読取面側の縁に、１５〜２０ｍｍ幅の空隙を具備することを最も主要な特徴とする。
【００１３】
また本考案の紙書籍撮影装置は、その構成部材として、本考案の書籍載置台を用いることを最も主要な特徴とする。
【考案の効果】
【００１４】
本考案の紙書籍撮影装置によれば、個人的な作業として、紙書籍のページ撮影をする際に、複数のページを手際よく撮影することができる。本考案では特に紙書籍のページ撮影を個人的作業とした場合の利便性向上に特化したため、一人で紙書籍のページ撮影作業を行った場合でも、1時間に500-600頁程度の画像読み込みが可能であり、素早い撮影が可能である。ひいては素早い電子書籍化を行うことができる。
【００１５】
また本考案の紙書籍撮影装置によれば、電子書籍化にあたって蔵書を裁断する必要もない。
【００１６】
前記紙書籍撮影装置に用いる本考案の書籍載置台は、安価に製造することができる。また市販のデジタルカメラなど汎用製品と組み合わせて使用することができる。したがって業として電子書籍化するのではない、個人的に電子書籍化を行いたい者にとって、安価で提供できる本考案の書籍載置台さえ入手すれば、残りは汎用品と組み合わせて紙書籍撮影装置とすることができるので、安価で簡便な個人的電子書籍化作業が可能となる。
【図面の簡単な説明】
【００１７】
【図１】本考案の書籍載置台を示した斜視図である。
【図２】図１の中央縦断面図である。
【図３】本考案の書籍載置台の使用状態を示した斜視図である。
【図４】図３の中央縦断面図である。
【図５】本考案の紙書籍撮影装置の使用状態を示した斜視図である。
【考案を実施するための形態】
【００１８】
以下、本考案である紙書籍のページ撮影のための書籍載置台と、これを用いた紙書籍撮影装置を、図面を用いて説明するが、本考案は図面で示した様態のみに限られるものではない。本考案の書籍載置台や紙書籍撮影装置に有用な、図面に示した以外の付属品を具備しても良い。
【００１９】
（書籍載置台の基本構成）
図１〜４は、本考案である紙書籍のページ撮影のための書籍載置台２０を示した図であり、図１は斜視図、図２はその中央縦断面図である。図３は使用状態を示した斜視図、図４はその中央縦断面図である。本考案の書籍載置台２０は、個人的な電子書籍の作成に特に適したものであって、上面２２，下面２９および対向する２対の側面を具備し、その内部に雲台３２を具備する筐体を、脚部（２１，２１’、以下まとめて「２１」と示す。）によって支持しているものである。
【００２０】
（書籍載置面）
筐体の上面２２が書籍載置面２２である。ただし書籍載置面２２はブック原稿の読取面ではない。すなわち図３，４に示したように、書籍載置面２２では、紙書籍６０を開いてその半分（１頁分）を載置する。その際に下方に垂れ下がったもう半分（１頁分）をブック原稿とし、該ブック原稿側の紙書籍６０の背面からブック原稿読取面２４に設けられた透明板にブック原稿を押しつけて、１頁づつ読取りを行う。
【００２１】
書籍載置面２２は、ブック原稿読取面２４側の縁に、１５〜２０ｍｍ幅の空隙２６を具備する。この空隙２６の存在により、かなりの厚みのある紙書籍６０のブック原稿でも、ブック原稿読取面２４で、書籍綴じ部周辺の浮きがほとんど発生しない。このため綴じ部周辺の文字歪みなどもほとんどなく、さらに見開きで続く画像もほとんど切れ目なく読み取ることができる。
【００２２】
空隙２６が１５ｍｍ未満では、綴じ箇所での浮き防止効果が小さくなる。一方、空隙２６が２０ｍｍを超えると、小さいサイズの書籍を電子書籍化する場合に、書籍載置面２２に載置した書籍が不安定になることがある。
【００２３】
なお紙書籍には色々な大きさのものが存在する。大きさの異なる紙書籍６０のブック原稿を撮影できるようにするためには、どのような大きさのブック原稿でも、その中央が、レンズ中心の延長線上にくるようにすることが好ましい。該ブック原稿の左右方向において中央がレンズ中心の延長線上にくるようにするために、図１，３に示したような、レンズ中心の延長線上の位置から両側に等間隔に広がる位置決め目印２７を設けることが好ましい。さらには、かかる位置決め目印２７は、書籍の大きさごとに色分けしておくことが便利である。
【００２４】
（撮影側面）
対向する２対の側面のうち、１対の側面は、ブック原稿のデジタルカメラ３０での撮影に直接関与する撮影側面である。撮影側面では、カメラレンズ挿入口２３を具備する面と、透明板を具備するブック原稿読取面２４とが対向している。
【００２５】
ブック原稿読取面２４に用いられる透明板の種類としては、透明性の高いガラスが好ましく、さらには無反射ガラスであることがより好ましい。無反射ガラスであれば、ブック原稿の撮影画像に、ガラスの反射光の写り込みがなくなるからである。無反射ガラスとは、ガラスの反射率を表面処理で低減したガラスのことである。代表的な表面処理の方法としては、コーティング法、表面改質法、凹凸加工法を挙げることができるが、本考案ではいずれの方法で作製された無反射ガラスも好適に使用することができる。
【００２６】
（採光側面）
筐体の撮影側面ではない対向する他の１対の面は、ブック原稿を照射する光を通過させる採光側面（２５，２５’、以下まとめて「２５」と示す。）である。図５に示したように、撮影のために必要な光は、本考案の書籍載置台２０の外側に設置した光源（４０，４０’、以下、まとめて「４０」と示す。）から採光側面２５を通過して、ブック原稿を照射する。このため、採光側面２５の、ブック原稿読取面２４側を吹き抜けにすることが好ましい。採光側面２５を吹き抜けではなくガラスなどを設けると、該ガラスからの反射像が写り込んでしまう場合がある。
【００２７】
（雲台，雲台設置板）
筐体内に配置される雲台３２と雲台固定板２８は、ブック原稿を撮影するデジタルカメラを筐体に固定するための部材である。雲台設置板２８は、図１，２に示したように、採光側面２５のカメラレンズ挿入口２３側で支持される。そして雲台３２は、その雲台設置板２８の上に固定される。これにより、デジタルカメラ３０は、カメラレンズ挿入口２３にそのレンズ部分を挿入した状態で雲台３２に固定されて、書籍載置台２０に取り付けられる。
【００２８】
ブック原稿の上下方向においてその中央がレンズ中心の延長線上にくるようにするためには、雲台３２としていわゆるエレベーター式三脚の雲台を使用して、雲台設置板２８に対して上下方向の伸縮と固定を自在とすることが好ましい。そのうえで、デジタルカメラ３０のレンズ部分がカメラレンズ挿入口２３内で上下自在に動けるように、カメラレンズ挿入口２３の形状を上下方向に長径を持つ楕円形とすることが好ましい。サイズの大きいブック原稿を撮影する場合は、雲台３２を下げてカメラレンズを広角側にする。一方、サイズの小さいブック原稿を撮影する場合は、雲台３２を上げてカメラレンズを望遠側にする。
【００２９】
（筐体の傾斜）
筐体は水平面に対して傾斜している。具体的には、筐体の書籍載置面２２、下面２９および雲台設置板２８が、水平面に対して前記カメラレンズ挿入口２３を具備する面側からブック原稿読取面２４側に向かって、８〜１５°上方に傾斜している。この傾斜角を図２のθで示した。
【００３０】
試行錯誤の結果、手作業で書籍６０のページをめくり、ブック原稿読取面２４にブック原稿を押しつけ、撮影を行うときには、書籍載置面２２が上記角度で傾いているのが最も効率よく作業ができることが分かった。書籍載置面２２が上記角度で傾いていると、書籍６０のブック原稿は、その自重でブック原稿読取面２４に接するので、撮影の際には、ブック原稿側の書籍６０の裏側から軽く手を添えるだけで、ピンボケのない画像をほとんど失敗することなく撮影することができる。さらに続けて次ページの画像を撮影するために、書籍６０のページをめくる作業も手際よく行うことができる。
【００３１】
上記角度が８°未満であると、書籍によってはブック原稿読取面２４に接する自重が足りないケースもあり、ブック原稿側の書籍６０の裏側からしっかり押さえないとピンボケ画像になってしまう可能性が高まる。一方、上記角度が１５°を超えると、ページをめくる際にバラけてしまい、ページを順序良くめくる作業に支障が生じる可能性が高まる。
【００３２】
また雲台設置板２８も書籍載置台２０と同じ角度で傾斜しているので、雲台３２およびこれに固定されるデジタルカメラ３０のレンズがブック原稿読取面２４との対向状態を維持したまま撮影することができる。
【００３３】
（脚部）
脚部２１は筐体を上記の傾斜状態で保持するための部材である。脚部２１の底面は接地面であり、書籍載置台２０を水平の面に設置すると、脚部２１の底面が水平面と平行になる。すなわち書籍載置台２０を水平に設置すれば、筐体の書籍載置面２２、下面２９および雲台設置板２８が、脚部２１の底面に対して前記カメラレンズ挿入口２３を具備する面側からブック原稿読取面２４側に向かって、８〜１５°上方に傾斜していることになる。
【００３４】
本考案の脚部２１では、脚部２１として独立した部材を筐体に取り付けることもできるが、図１，２に示したように、筐体の１対の側面を下方に延長して脚部２１とすることもできる。すなわち、本考案の脚部２１は、脚部２１と筐体の側面構成部材などが一体部材となった構成も取りうる。
【００３５】
（紙書籍撮影装置の概要）
図５は本考案の紙書籍撮影装置１０の全体構成を示す斜視図である。前記本考案の書籍載置台２０は、本考案の紙書籍撮影装置１０の部材として使用される。本考案の紙書籍撮影装置１０は、前述の書籍載置台２０の他に、雲台３２に固定され、カメラレンズ挿入口２３にそのレンズ部分が挿入されたデジタルカメラ３０，該デジタルカメラ３０のシャッター機能をコントロールするフットシャッター３１および書籍載置台２０の採光側面２５を通じてブック原稿を照射する一対の光源４０を含んで構成される。
【００３６】
（デジタルカメラ）
デジタルカメラ３０は、ブック原稿の撮影を行うために使用する。デジタルカメラ３０は、雲台３２に固定される。本考案では個人的な紙書籍撮影作業のためのものであるので、ブック原稿の撮影にはスキャナーではなく、汎用品であるデジタルカメラ３０を用いる。本考案の紙書籍撮影装置１０には、市販のデジタルカメラであれば使用できる。ただし本考案で、失敗撮影をより少なくするには、デジタルカメラ３０が、ＡＣ電源使用可能、マニュアル露出可能、マニュアルフォーカス可能、リモートレリーズ接続可能、最短撮影距離２５ｃｍ程度の標準ズームレンズ搭載可能およびメモリースロットが雲台固定のままでの開閉可能といった機能を具備していることが好ましい。
【００３７】
ブック原稿の画像化をスキャナーではなく、デジタルカメラで撮影を行うと、パノラミックディストーション（歪み）が生じる。これを補正するにはパソコン７０にデーターを取り込み、その画像の解析をすることで行うこともできる。簡単に補正するには、カメラレンズにクロースアップレンズ（通常×２程度）を取り付けて撮影を行う。このような簡単な補正でも、肉眼では歪みがほとんど分からない程度まで簡単に補正できる。またデジタルカメラの機種によっては、かかるパノラミックディストーションを補正する機能を内蔵するものも存在する。
【００３８】
デジタルカメラ３０を雲台３２に固定して、レンズ部分をカメラレンズ挿入口２３に挿入した後、光の映り込みをなくすために、カメラレンズ挿入口２３付近を黒色のカバー（図示せず）で覆うことが好ましい。
【００３９】
デジタルカメラ３０としては、背面に３インチ以上の液晶ライブビューアーを有する機種を用いることが好ましい。このようなタイプのデジタルカメラ３０では、図５に示したように、その背面に反射鏡６０を設置すると、ブック原稿を撮影する際に、書籍６０を背面から押さえている状態のまま、デジタルカメラから見える映像を確認できるので、失敗のない画像化が可能になる。
【００４０】
また、ブック原稿の撮影直前の確認方法としては、前述の反射鏡を用いる方法の他にも、デジタルカメラ３０に、レンズから見える風景を外部モニターに映し出せる機能があれば、適当なモニター（図示せず）を自分の見やすい位置に設置してデジタルカメラ３０から見える映像を確認することもできる。
【００４１】
（フットシャッター）
ブック原稿を撮影するために、書籍６０を背面から押さえている状態のまま、デジタルカメラ３０のシャッターを切るには、足の動きでシャッターを切れるフットシャッター３１を使用するのが便利である。これにより、撮影作業において、無理な体勢を取ることなく、スムーズな撮影を行うことができる。本考案で用いるフットシャッター３１には、カメラの付属品として各社から販売されているレリーズを転用することができる。
【００４２】
（光源）
撮影のためにブック原稿を照射するための光源４０は、図５に示したように、書籍載置台２０の採光側面２５の外側に１対配置することが好ましい。光源４０からの光は、書籍載置台２０の採光側面２５を通じてブック原稿を照射する。本考案で用いる光源４０は、長時間使用しても熱くなりにくいＬＥＤ光源が好ましい。光源の強さと色はレフランプ昼光色で４Ｗ前後のものが好ましい。
【００４３】
（パソコンへの画像取り込み）
デジタルカメラ３０で撮影されたブック原稿の画像は、デジタルカメラ３０とパソコン７０を接続して、撮影と同時にパソコン７０のハードディスク等に取り込むこともできるし、一連の撮影終了後に取り込むこともできる。パソコン７０に取り込まれた画像は、トリミング用ソフトウエアで簡単な画像のトリミングを行ったあと、電子書籍のための画像表示用ソフトウエアを使えば、簡単に電子書籍に編集することができる。
【符号の説明】
【００４４】
１０            紙書籍撮影装置
２０            書籍載置台
２１，２１’    脚部
２２            書籍載置面（上面）
２３            カメラレンズ挿入口
２４            ブック原稿読取面
２５，２５’    採光側面
２６            空隙
２７            位置決め目印
２８            雲台設置板
２９            下面
３０            デジタルカメラ
３１            フットシャッター
３２            雲台
４０，４０’    光源
５０            反射鏡
６０            紙書籍
７０            パソコン一式
θ              筐体の傾斜角
【図１】
0003181070.tif 000003
【図２】
0003181070.tif 000004
【図３】
0003181070.tif 000005
【図４】
0003181070.tif 000006
【図５】
0003181070.tif 000007